(57)【特許請求の範囲】
【請求項１】
所定の固定具により複数の建築物装飾材をそれぞれ独立して建築物の下地に取り付けて、該建築物装飾材を所定方向に配列することを特徴とした建築物装飾材の取付方法であって、
前記所定の固定具が、
前記建築物装飾材に取り付けられ、穴が開けられ、該穴の一端にナットが設けられた石材側荷重受金物と、
前記穴を通過し、ナットに螺合されたボルトと、
前記建築物の下地に取り付けられた躯体側荷重受金物と、
前記躯体側荷重受金物に底が取り付けられたケースと、
を備え、
前記ボルトの先端をケースの中に入れ、ボルトを回動およびケース内部での位置を調節して建築物装飾材を所定の位置に調節する工程と、
前記調節する工程の後、ケースの内部空間に固化部材を注入する工程と、
を含む建築物装飾材の取付方法。
【請求項２】
前記固化部材がコンクリートである請求項１記載の建築物装飾材の取付方法。
【請求項３】
複数の建築物装飾材を建築物の下地に対して所定方向に配列し、該建築物装飾材をそれぞれ独立して該下地に取り付け、該建築物装飾材を所定の位置に調節する所定の固定具を備えたことを特徴とする建築物装飾材の取付装置であって、
前記所定の固定具が、
前記建築物装飾材に取り付けられ、穴が開けられ、該穴の一端にナットが設けられた石材側荷重受金物と、
前記穴を通過し、前記ナットに螺合されて回動されるボルトと、
前記建築物の下地に取り付けられた躯体側荷重受金物と、
前記躯体側荷重受金物に底が取り付けられ、前記ボルトの先端が入れられて内部で該ボルトの位置が調節されるケースと、
前記ボルトの位置を調節後、ケースの内部空間に注入される固化部材と、
を備える建築物装飾材の取付装置。
【請求項４】
前記所定の固定具の石材側荷重受金物が、前記建築物装飾材に開けられた複数の穴に入れて、該建築物装飾材の所定部分を挾持する挿入部材を備えた請求項３記載の建築物装飾材の取付装置。
【発明の詳細な説明】
【０００１】
【発明の属する技術分野】
本発明は、建築物装飾材の取付装置、取付方法及び取付構造に関し、詳しくは、建築物の壁、床、天井等に石材等を取り付けるための取付装置および取付方法に関する。
【０００２】
【従来の技術】
従来、建築物の壁に石材を取り付ける場合、下地となるコンクリート壁にかすがいの一端を埋設し、かすがいの他端と石材に備えただぼとを引金物でつなぎ合わせて、石材を固定する。このとき、石材にだぼが入る穴を開け、石材と石材をだぼを用いて連結しておく。そして、石材と下地との間にモルタルを充填する。上記の工法を総とろ工法と呼ぶ。
【０００３】
この総とろ工法は、石材がモルタルの圧力で動かないように数回に分けてモルタルを充填するので、工期が長くなる。そして、施工の後に雨などによって、モルタル部に水が浸透して、エフロレセンス（風解）が発生しやすくなる。更に、モルタルを数回に分けて充填するので、モルタルを充填するときに、モルタルを石材表面にこぼしてしまい、石材表面を汚してしまう可能性が高くなる。
【０００４】
また、下地であるコンクリート壁に設置したかすがいと石材に設置しただぼを引き金物でつなぎ合わせ、且つ、石材と石材とをだぼを用いて連結した後に、石材と下地の間において水平方向の目地部分の上下１０ｃｍ程度にモルタルを充填し、他は空洞にする帯とろ工法がある。しかし、この帯とろ工法もモルタルが硬化するまで上段の石材を積めず、工期が長くなる。また、エフロレセンスが発生しやすい。更に、モルタルを充填するので、モルタルを充填するときに、モルタルを石材表面にこぼしてしまい、石材表面を汚してしまう可能性が高くなる。
【０００５】
一方、モルタルによって石材の表面を汚さないために、モルタルを使わない乾式工法がある。この乾式工法は、下地に金物（アングル，プレート）を設置する。そして、垂直方向または水平方向の目地部分で、下地に設置した金物によって石材の荷重を受け、且つ、だぼで石材と石材を連結させる工法である。モルタルを使用しないので、上述した石材表面の汚れ、及び、エフロレセンスの発生を防ぐことが可能である。
【０００６】
【発明が解決しようとする課題】
しかし、上述した乾式工法では、垂直方向または水平方向の目地部分で金物によって石材の荷重を受け、且つ、上下または左右の石材をだぼで連結するので、目地の隙間から金物又はだぼが見え、美観を損ねる。また、だぼによって石材と石材をつなぎ合わせるので、石材の割付に際して矩形の石材を用いなければならない制約を持っている。その上、何らかの事情で一部の石材を撤去し、且つ、撤去した石材に換えて新しい石材を設置するとき、新設当初の乾式工法で施工すると、だぼによって石材と石材をつなぎ合わせているので、だぼでつながっている石材を全て撤去し、新設しなくてはならない。また、下段に設置された石材を撤去し、且つ、撤去した石材に換えて新しい石材を設置する場合、上段の石材を全て撤去しなくてはならない。従って、一部の石材を撤去するのに多大の労力及び時間が必要となる。
【０００７】
そこで、本発明者は上述した課題を解決するために、鋭意検討をした結果、本発明をするに至ったのである。
【０００８】
【課題を解決するための手段】
本発明の建築物装飾材の取付方法の要旨は、所定の固定具により複数の建築物装飾材をそれぞれ独立して建築物の下地に取り付けて、該建築物装飾材を所定方向に配列することを特徴とする。なお、上記固定具は、上記建築物装飾材又は上記下地に取り付けられた棒状体と、該下地又は該建築物装飾材に取り付けられ、該棒状体が入るケース状体を含む。また、上記棒状体はボルトを含む。上記固定具は、直接又は間接的に上記建築物装飾材及び上記下地に取り付けられる。
【０００９】
更に、上記ケース状体に上記棒状体及び固化部材を入れる工程を含み、前記固化部材はコンクリート又は樹脂性接着材を含む。なお、コンクリートはモルタルを含む。また、上記ケース状体に上記棒状体及び上記固化部材を入れる順番は、該棒状体を入れた後に該固化部材を入れるが、該固化部材を該ケース状体に入れ、該固化部材が固化する前に該棒状体を入れることも可能である。
【００１０】
上記ケース状体の内底にナットを溶着し、該ナットに上記ボルトを螺合した後に、該ケース状体の中に上記固化部材を注入することもできる。また、該ケース状体の代わりにナットを使用し、該ナットに上記ボルトを螺合することによって、上記建築物装飾材を上記建築物の下地に固定することも可能である。
【００１１】
上記建築物装飾材は、建築物に取り付ける石材を含む。更に、上記建築物の下地は、建築物の壁、床及び天井の下地となるコンクリートを含む。また、その他の場所で下地にコンクリートを使用した場合、このコンクリートも上記建築物の下地とする。
【００１２】
本発明の建築物装飾材の取付装置の要旨は、複数の建築物装飾材を建築物の下地に対して所定方向に配列するための建築物装飾材の取付装置であって、該建築物装飾材をそれぞれ独立して該下地に取り付ける所定の固定具を備えたことを特徴とする。なお、上記所定の固定具が、上記建築物装飾材又は上記下地に取り付けられた棒状体と、該建築物装飾材又は該下地に取り付けられ、該棒状体が入るケース状体とを含む。また、上記棒状体はボルトを含む。
【００１３】
上記所定の固定具は、前記建築物装飾材に開けられた複数の穴に入れられて該建築物装飾材の所定部分を挾持する挿入部材を備えている。上記挿入部材はピン状の物を含む。また、上記挿入部材の数は任意である。上記建築物装飾材に開けられた複数の穴は、該建築物装飾材の表面に対して斜め方向に穴が開けられている。
【００１４】
１つの建築物装飾材において、使用する上記所定の固定具の数は限定されず、１つ又は複数個の該所定の固定具によって１つの建築物装飾材を建築物の下地に固定する。
【００１５】
建築物装飾材の取付構造の要旨は、建築物の下地及び建築物装飾材にそれぞれ設置した所定の固定具によって、それぞれの該建築物装飾材が独立し、且つ、複数の該建築物装飾材が所定方向に配列して該建築物の下地に取り付けられていることを特徴とする。上記建築物装飾材は独立して上記建築物の下地に取り付けられるので、上記建築物装飾材の形状に制約はなく、任意の形状が使用できる。
【００１６】
【発明の実施形態】
次に、本発明に係る建築物装飾材の取付方法および取付装置の実施形態を図面に基づいて説明する。
【００１７】
本発明の建築物装飾材の取付装置１０を図１及び図２に示す。棒状体である調節ボルト１２及びケース状体であるケース２８が使用されている。また、建築物装飾材である石材４２の所定部分を挾持するために、挿入部材であるピン２０，２１が使用されている。
【００１８】
下地であるコンクリート躯体４４にホールインアンカー３６を打ち込み、ホールインアンカー３６をコンクリート躯体４４に固定する。その後、ホールインアンカー３６に長ねじボルト３８を螺合する。次に、断面Ｌ字型の躯体側荷重受金物３０に、ホールインアンカー３６に螺合された長ねじボルト３８が通る穴及び角根ボルト３２が通る穴をそれぞれ所定位置に開ける。躯体側荷重受金物３０に開けられた長ねじボルト３８が通る穴に、ホールインアンカー３６に螺合された長ねじボルト３８を通す。長ねじボルト３８にナット４０を螺合して、躯体側荷重受金物３０を図１のようにしてコンクリート躯体４４に固定する。そして、躯体側荷重受金物３０に開けられた角根ボルト３２が通る穴とケース２８に備えられた穴に角根ボルト３２を通し、角根ボルト３２にナット３４を螺合して、図１，図２に示すように、躯体側荷重受金物３０にケース２８を取り付ける。なお、躯体側荷重受金物３０にケース２８を取り付けた後で、躯体側荷重受金物３０をコンクリート躯体４４に取り付けてもよい。
【００１９】
第１ベース金物１６及び第２ベース金物１８にはそれぞれ挿入部材であるピン２０，２１を溶着し、ピン２０，２１が入る穴１７，１９を石材４２に開ける。このとき、ピン２０，２１はそれぞれ第１ベース金物１６及び第２ベース金物１８に対して鋭角、例えば４５°の角度を付けて溶着する。ピン２０とピン２１は、両方が向き合う方向に傾斜している。なお、１つの取付装置１０において使用するピンの本数は、４本のピンを使用しているが、石材４２と第１ベース金物１６及び第２ベース金物１８における取付強度が弱い場合は、任意にピンの本数を増やし、石材４２に開ける穴もピンの本数にあわせて増やすことができる。また、ピン以外に、爪状の物等を使用し、その形状にあわせて石材に穴を開けることが可能である。
【００２０】
更に、第１ベース金物１６にはボルト２２に合うナット２４を溶着しておき、第２ベース金物１８には第１ベース金物１６に溶着したナット２４が貫通できる穴を上下方向にルーズに開けておく。これは、ピン２０，２１が第１ベース金物１６及び第２ベース金物１８に対して鋭角に角度が付けられているので、ナット２４が貫通できる穴を上下方向にルーズに開けておかないと、ピン２０，２１が石材４２の穴１７，１９に入らないからである。更に、石材側荷重受金物１４にも第１ベース金物１６に溶着したナット２４が貫通できる穴を開けておく。また、第１ベース金物１６に溶着されたナット２４の下部に、ボルト２２のネジ山に合うネジの谷を設けることも可能である。ナット２４の高さが高く、石材側荷重受金物１４を装着したときに、ナット２４がはみだすのならば、第１ベース金物１６にナット２４の対角距離と同じ長さの直径を持った円形の穴を開け、該穴にナット２４を入れ、第１ベース金物１６にナット２４を溶着することも可能である。
【００２１】
石材４２に開けた穴１７，１９に第１ベース金物１６及び第２ベース金物１８にそれぞれ溶着したピン２０，２１を入れて、図１に示すようにピン２０，２１で石材４２の所定部分を挾持する。上記の石材４２の所定部分は、石材４２に開けられた穴１７と穴１９の間の部分である。その後、第１ベース金物１６に溶着されたナット２４にボルト２２を螺合することによって、第１ベース金物１６及び第２ベース金物１８及び石材側荷重受金物１４を石材４２に固定する。
【００２２】
石材側荷重受金物１４に上下調節ボルト１２が通る穴を所定位置に開け、穴の一端に上下調節ボルト１２に合うナット２６を溶着しておく。図１に示すように、上下調節ボルト１２を石材側荷重受金物１４に取り付けた後、上下調節ボルト１２の先端をケース２８の中に入れる。そして、上下調節ボルト１２を回動及びケース内部での位置を調節することにより、石材４２を所定の位置に調節する。
【００２３】
上記の工程だけでは、ケース２８の内部に上下調節ボルト１２が入っているだけなので、石材４２に振動を与えると石材４２の位置がずれたり、石材４２が外れたりする。従って、石材４２を所定の位置に調節後、ケース２８の内部空間に無収縮モルタルを注入して、上下調節ボルト１２とケース２８を固定する。また、無収縮モルタル以外に樹脂性接着剤等を使用して、上下調節ボルト１２とケース２８を固定することも可能である。
【００２４】
上記の工程及び取付装置によって、石材４２を下地であるコンクリート躯体４４に取り付けることが可能になった。なお、上記の取付装置１０は、１石材において複数の装置を取り付けることによって、取付強度が増加する。一例として、図５に示すように、１石材において３個の取付装置を取り付けているが、石材の大きさ等によって、図６に示すように、取付装置の数を４個に増やすなど、取付装置の数は任意に変更が可能である。更に、取付装置を取り付ける位置７２も任意に変更が可能である。また、石材４２の上段に取り付けた取付装置１０のケース２８に無収縮モルタルを注入することによって、石材４２が固定されるならば、下部に取り付けた取付装置１０のケース２８に、無収縮モルタルを注入しなくてもよい。更に、下段に取り付ける取付装置に変更して、図７に示すような、コの字型板４６をコンクリート躯体４４に取り付けて、石材４２とコンクリート躯体４４の位置を平行にし易くすることも可能である。
【００２５】
そして、上記の取付装置及び工程を複数の石材において行なうこうとによって、図５，図６に示すように、壁を石材で装飾することができる。このとき、各石材をだぼによってつなぎ合わせる必要は無く、各石材が独立した状態で図５，図６に示したような設置ができる。
【００２６】
以上のように、各石材が独立しているので、何らかの理由で１つの石材を撤去し、更に撤去した石材に換えて新しい石材を設置する場合、撤去したい石材だけを工事することができる。また、一番外側に配置された石材４２等、一部の石材４２においては、ボルト２２をはずすことによって、石材側荷重受金物１４から石材４２がはずれる。そして、新しい石材に第１ベース金物１６及び第２ベース金物１８を取り付けて、ボルト２２をナット２４に螺合することによって、新しい石材が取り付けられる。また、ナット４０をはずすことによって、石材４２をコンクリート躯体４４から取り外すことも可能である。そして、ボルト２２をはずして石材４２を石材側荷重受金物１４から取り外したあと、新しい石材に第１ベース金物１６及び第２ベース金物１８を取り付けて、ボルト２２をナット２４に螺合し、更に、躯体側荷重受金物３０に長ねじボルト３８を通し、ナット４０を螺合することによって、新しい石材が取り付けられる。
【００２７】
また、図５，図６に示した矩形の石材以外にも、任意の形状をした石材においても取り付けることが可能である。一例として、図８に示すような菱形の石材や、図９に示すような曲線形状を有する石材を取り付けることが可能である。また、ケース２８での調節ボルト１２の位置を調節することのよって、それぞれの石材が、コンクリート躯体４４に対して前後方向に段差を持たせることが可能である。
【００２８】
更に、だぼによって石材を連結することがないので、目地の隙間からだぼが見えて美観を損ねることはない。その上、各石材が独立しているので、数回に分けて無収縮モルタルを注入することがなく、短期間に工事が完了する。使用する無収縮モルタルは、ケース２８に入れる量が必要になるだけなので、総とろ工法や帯とろ工法に比べて、無収縮モルタルの使用量を減らすことができる。
【００２９】
石材４２と石材４２の隙間である目地にシーリングを行なわないのであるならば、図１０に示す石材の上面図のように、石材４２の表面に雨等が降りかかっても、石材４２の裏面に雨等が入り込まないようにする。図１０のようにすると、完全に建築物装飾材の取付装置１０が、目地から見えない。
【００３０】
本発明に係る建築物装飾材の取付装置を、天井等の吊り物に使用する場合の実施形態を図３に示す。ホールインアンカー５２を下地になるコンクリート躯体４４に打ち込み、ホールインアンカー５２をコンクリート躯体４４に固定する。その後、ホールインアンカー５２に長ねじボルト５４を螺合する。更に、長ねじボルト５４にロックナット５６を螺合するが、この段階ではロックナット５６は緩めておく。
【００３１】
第１ベース金物１６及び第２ベース金物１８には、図３に示すように第１ベース金物１６及び第２ベース金物１８に対して鋭角、例えば４５°の角度でそれぞれピン２０，２１を溶着しておく。更に、第１ベース金物１６にボルト２２にあうナット２４を溶着し、第２ベース金物１８にはナット２４及びボルト２２が通る穴を開けておく。なお、第１ベース金物１６に溶着されたナット２４の下部に、ボルト２２のネジ山にあうネジの谷を設けることも可能である。また、第１ベース金物１６にナット２４の対角距離に等しい長さの直径を有する円形の穴を開け、該穴にナット２４を入れ、ナット２４を第１ベース金物１６に溶着することも可能である。
【００３２】
石材４２には第１ベース金物１６及び第２ベース金物１８にそれぞれ溶着されたピン２０，２１が入る穴１７，１９を設けておく。そして、ピン２０，２１を石材４２に開けられた穴１７，１９に入れて、図３に示すようにピン２０，２１で石材４２の所定部分を挾持する。その後、ケース２８に設置されたボルト２２が通る穴及び第２ベース金物１８に開けられた穴にボルト２２を通し、第１ベース金物１６に溶着したナット２４にボルト２２を螺合することによって、ケース２８を第２ベース金物１８に固定する。
【００３３】
石材４２を所定の位置に配置し、長ねじボルト５４が充分にケース２８の中に入るように長ねじボルト５４を回動させて調整する。そして、緩めておいたロックナット５６を図３に示す位置で固定する。ロックナット５６を図３に示す位置で固定することによって、長ねじボルト５４がホールインアンカー５２から弛んで、落下するのを防止する。最後に、ケース２８の内部空間に無収縮モルタル等を注入して、石材４２を図３に示す所定位置に置き、無収縮モルタル等の定着力でケース２８と長ねじボルト５４を固定する。
【００３４】
また、１石材において上記の工程及び取付装置だけでは、石材４２が不安定であるならば、１石材に複数の取付装置５０を使用することによって、安定して天井に石材４２を取り付けられる。更に、複数個の石材を上記工程及び取付装置によって天井に取り付けることによって、天井を装飾することができる。
【００３５】
本発明に係る建築物装飾材の取付装置を、床面に使用する場合の実施形態を図４に示す。床面の下地となるコンクリート躯体４４にホールインアンカー３６を打ち込み、ホールインアンカー３６をコンクリート躯体４４に固定する。その後、ホールインアンカー３６に長ねじボルト３８を螺合する。そして、躯体側荷重受金物６２に長ねじボルト３８が通る穴及び角根ボルト３２が通る穴を開ける。長ねじボルト３８を上記の躯体側荷重受金物６２に開けられた長ねじボルト３８が通る穴に通し、長ねじボルト３８にナット４０を螺合して躯体側荷重受金物６２をコンクリート躯体４４に固定する。更に、ケース２８に設けられた角根ボルト３２が通る穴と躯体側荷重受金物６２に設けられた角根ボルト３２が通る穴に、角根ボルト３２を通して、角根ボルト３２にあうナット３４を螺合する。上記の工程によって、躯体側荷重受金物６２にケース２８が固定される。
【００３６】
第１ベース金物１６及び第２ベース金物１８には、ピン２０，２１を第１ベース金物１６及び第２ベース金物１８に対して鋭角、例えば４５°の角度で溶着する。石材４２には、ピン２０，２１が入る穴１７，１９を開ける。また、第１ベース金物１６に長ねじボルト６４が合うナット６６の対角距離に等しい長さの直径を有する円形の穴を開ける。そして、ナット６６を該穴に入れ、第１ベース金物１６にナット６６を溶着する。第２ベース金物１８には、ナット６６が通る穴をルーズに開けておく。更に、使用するナット６６の高さが低い場合、第１ベース金物１６上にナット６６を溶着することが可能である。
【００３７】
石材４２に開けられた穴１７，１９に、第１ベース金物１６及び第２ベース金物１８に溶着されたピン２０，２１を入れて、図４に示すように、ピン２０，２１で石材４２の所定部分を挾持する。第１ベース金物１６に取り付けられたナット６６に長ねじボルト６４を螺合することによって、第１ベース金物１６及び第２ベース金物１８を石材４２に固定する。更に、長ねじボルト６４にロックナット６８を螺合して、図４に示す位置で固定することによって、長ねじボルト６４が弛まないようにする。また、第１ベース金物１６及び第２ベース金物１８が固定されないのならば、長ねじボルト６４が通る穴を持った板を用いて、その穴に長ねじボルト６４を通し、第２ベース金物１８とロックナット６８の間にその板を入れることによって固定する。
【００３８】
そして、ケース２８の中に無収縮モルタルを注入後、無収縮モルタルが固化する前に長ねじボルト６４をケース２８の中に入れる。その後、無収縮モルタルが固化すれば、コンクリート躯体４４に石材４２が取り付けられる。
【００３９】
また、１石材において上記の取付装置６０を１つ取り付けただけでは、石材４２が不安定であるので、石材４２の大きさ等にあわせて複数個の取付装置６０を取り付けるのが望ましい。また、複数の石材を上記の工程及び取付装置６０によって床面に取り付けることによって、床面を石材で装飾することが可能である。
【００４０】
本発明に係る建築物装飾材の取付方法及び取付装置について、上記に建築物の下地に石材を設置する実施形態を記したが、本発明は上記の実施形態に限定されるものではない。
【００４１】
一例として、図１１に躯体側荷重受金物や石材側荷重受金物等を使用しない建築物装飾材の取付装置９０を示す。建築物の下地であるコンクリート躯体４４にホールインアンカー３６を打ち込み、コンクリート躯体４４に固定する。長ねじボルト３８をホールインアンカー３６に螺合する。ケース９４に長ねじボルト３８が通る穴を開け、この長ねじボルト３８が通る穴に長ねじボルト３８を通して、長ねじボルト３８にナット４０を螺合する。以上の工程によって、ケース９４がコンクリート躯体４４に固定される。
【００４２】
石材４２にはＬ字型棒９２が入る穴を開けて、Ｌ字型棒９２を図９のように石材４２に差し込む。Ｌ字型棒９２が石材４２に開けた穴からはずれてしまうのならば、接着剤等で固定する。Ｌ字型棒９２をケース９４の中に入れて、その後、無収縮モルタルをケース９４の中に入れる。無収縮モルタルが固化すると、石材４２がコンクリート躯体４４に固定される。
【００４３】
図５，図６に示すように、上記の取付装置９０を１石材において複数個取り付けることによって、石材の取付強度が増す。また、複数の石材を上記の工程及び取付装置９０によって下地に取り付けることによって、建築物の壁を石材で装飾することが可能である。
【００４４】
上述した実施形態は、全て石材において実施されているが、石材以外のタイル、セラミック、木材等においても応用が可能である。
【００４５】
以上、本発明に係る建築物装飾材の取付方法及び取付装置について、図面に基づいて説明したが、上記の実施形態に限定されるものではない。その他、本発明の趣旨を逸脱しない範囲内で、当業者の知識に基づき種々なる改良、修正、変形を加えた態様で実施し得るものである。
【００４６】
【発明の効果】
本発明に係る建築物装飾材の取付方法は、各石材を独立して下地であるコンクリート躯体に取り付けることによって、石材の取付工期の短縮が可能になった。更に、建築物装飾材の取付構造は、各石材が独立しているので、ある石材を取り外し、且つ、取り外した石材に替えて新しい石材を取り付ける場合に、他の石材を取り外すことなく工事が可能である。
【００４７】
本発明に係る建築物装飾材の取付装置はだぼを使用せず、石材と石材をだぼで連結することがないので、目地からだぼが見えて美観を損ねることはない。また、本発明の取付装置が、目地から見えないように石材と建築物の下地に取り付ければ、美観を損ねることはない。
【００４８】
本発明に係る建築物装飾材の取付装置において、使用する固化部材であるコンクリート（無収縮モルタル等）は、ケースに入れる量だけが必要であり、総とろ工法及び帯とろ工法に比べて使用するコンクリートの量が少なく、経済的である。
【００４９】
本発明に係る建築物装飾材の取付装置は、建築物の下地に取り付けられる部材と石材に取り付けられる部材とに分かれているので、石材に取り付けられた部材又は建築物の下地に取り付けられた部材を取り外すことによって、建築物の下地から石材を取り外すことができる。また、取り外した石材に換えて、新しい石材を取り付けるときに、新しい石材に上記の石材に取り付けられた部材を取り付けることによって、ただちに新しい石材を建築物の下地に取り付けることができる。
【図面の簡単な説明】
【図１】本発明に係る建築物装飾材の取付装置の１実施形態を示す図である。
【図２】図１における建築物装飾材の取付装置の上面図である。
【図３】天井等の吊り物における本発明の建築物装飾材の取付装置の図である。
【図４】床における本発明の建築物装飾材の取付装置の図である。
【図５】複数の石材を下地の上に配列させたときの一例を示す図である。
【図６】複数の石材を下地の上に配列させ、１石材において４個の取付け装置を使用した図である。
【図７】本発明の建築物装飾材の取付装置とコの字型板を使用したときの図である。
【図８】菱形の石材を複数こ使用して、下地の上に配列させたときの一例を示す図である。
【図９】曲線形状を持った石材を複数使用して、下地の上に配列させたときの一例を示す図である。
【図１０】石材の上面図であり、（ａ）は目地が段差を有し、（ｂ）は目地がＶ字型であり、（ｃ）は目地が斜め形状である。
【図１１】他の実施例であり、ケースを直接コンクリート躯体に取り付けた場合の図である。
【符号の説明】
１０，５０，６０，９０：建築物装飾材の取付装置（所定の固定具）
１２：調節ボルト（棒状体）
１４：石材側荷重受金物
１６：第１ベース金物（板状体）
１７，１９：ピンが入る穴
１８：第２ベース金物（板状体）
２０，２１：ピン（挿入部材）
２２：ボルト
２３，６７：空間
２４，２６，３４，４０，６６：ナット
２５，３５，４１：座金
２８，９４：ケース
３０，６２：躯体側荷重受金物
３２：角根ボルト
３６，５２：ホールインアンカー
３８，５４，６４：長ねじボルト
４２：石材（建築物装飾材）
４４：コンクリート躯体（建築物の下地）
４６：コの字型板
５６，６８：ロックナット
７２：取付装置の取付位置
９２：Ｌ字型棒
【図１】
0004404430.tif 000002
【図２】
0004404430.tif 000003
【図３】
0004404430.tif 000004
【図４】
0004404430.tif 000005
【図５】
0004404430.tif 000006
【図６】
0004404430.tif 000007
【図７】
0004404430.tif 000008
【図８】
0004404430.tif 000009
【図９】
0004404430.tif 000010
【図１０】
0004404430.tif 000011
【図１１】
0004404430.tif 000012